(57)【要約】【課題】、電線の芯線と基板の導電パターンの接続部分の電気的接続の信頼性が高く、かつ当該接続を容易に行うことができる機器の提供。【解決手段】一部が開口した断面略環状に形成された環状部４１を有し、この環状部４１の外壁面が導電パターン１１に接触する導電性材料で形成された端子４０と、環状部４１の内側に挿入され、この環状部４１の内壁面に接触する芯線３１を有する電線３０と、幅方向の大きさが環状部４１の開口の幅より大きく形成された部材であって、環状部４１の内側に挿入されることにより端子４０が弾性変形し、その弾性力を受けて芯線３１を環状部４１の内壁面に押しつける挿入部材４０とを備え、端子４０は、第二ケース体２２に係合する第一ケース体２１によって、環状部４１の外壁面が導電パターン１１に接触する方向に押しつけられている電気機器１とする。【選択図】図５
2014067786.tif 000002
【特許請求の範囲】
【請求項１】
導電パターンが形成された基板と、
この基板の導電パターンが形成された表面側に位置する第一ケース体、および基板の裏面側に位置し前記第一ケース体に係合する第二ケース体を有するケースと、
一部が開口した断面略環状に形成された環状部を有し、この環状部の外壁面が前記導電パターンに接触する導電性材料で形成された端子と、
前記環状部の内側に挿入され、この環状部の内壁面に接触する芯線を有する電線と、
幅方向の大きさが前記環状部の開口の幅より大きく形成された部材であって、前記環状部の内側に挿入されることにより前記端子が弾性変形し、その弾性力を受けて前記芯線を前記環状部の内壁面に押しつける挿入部材と、
を備え、
前記端子は、前記第二ケース体に係合する前記第一ケース体によって、前記環状部の外壁面が前記導電パターンに接触する方向に押しつけられていることを特徴とする基板を備える電気機器。
【請求項２】
前記端子は、前記環状部の開口の縁部から当該開口を広げる方向に延びる延長部を有し、この延長部が前記第一ケース体に接触し前記環状部の外壁面が前記導電パターンに接触する方向に押しつけられていることを特徴とする請求項１に記載の基板を備える電気機器。
【請求項３】
前記第二ケース体または前記基板に対して位置決めされ、前記基板の表面側に位置するガイド部材をさらに備え、
前記端子は、前記ガイド部材に形成された貫通部の内側に挿入されていることを特徴とする請求項１または請求項２に記載の基板を備える電気機器。
【請求項４】
前記ガイド部材には、前記電線が通される案内溝が形成されていることを特徴とする請求項３に記載の基板を備える電気機器。
【請求項５】
前記第二ケース体には、ケースの内側に電線を挿入するための挿入部が形成されており、
この挿入部が前記案内溝とは異なる高さ位置に形成されることにより、両部位を通る前記電線が屈曲していることを特徴とする請求項４に記載の基板を備える電気機器。
【請求項６】
前記挿入部材が、導電性材料によって形成されていることを特徴とする請求項１から請求項５のいずれか一項に記載の基板を備える電気機器。
【請求項７】
他の電気的部材に接続される接続部、および一部が開口した断面略環状に形成された環状部を有する導電性材料で形成された端子と、
前記環状部の内側に挿入され、この環状部の内壁面に接触する芯線を有する電線と、
幅方向の大きさが前記環状部の開口の幅より大きく形成された部材であって、前記環状部の内側に挿入されることにより前記端子が弾性変形し、その弾性力を受けて前記芯線を前記環状部の内壁面に押しつける挿入部材と、
を備えることを特徴とする端子付電線。
【請求項８】
前記端子は、前記環状部の開口の縁部から当該開口を広げる方向に延びる延長部を有することを特徴とする請求項７に記載の端子付電線。
【請求項９】
前記挿入部材が、導電性材料によって形成されていることを特徴とする請求項７または請求項８に記載の端子付電線。
【発明の詳細な説明】
【技術分野】
【０００１】
本発明は、基板およびその基板に形成された導電パターンに電気的に接続される電線を備えた電気機器、および電線に端子が電気的に接続された端子付電線に関する。
【背景技術】
【０００２】
基板と電線の接続構造として下記特許文献１に記載のものが知られている。この特許文献１には、電線の芯線等を上下のケースで挟み込むことにより、芯線を基板に形成された導電パターンに接触させる構成が開示されている。さらには、その変形例として上ケースまたは下ケースに芯線を導電パターンに押しつけるリブが形成された構成も開示されている。また、芯線と導電パターンをハンダで接続する構成が開示されている。
【先行技術文献】
【特許文献】
【０００３】
【特許文献１】特開２０１２−１３５０９２号公報
【発明の概要】
【発明が解決しようとする課題】
【０００４】
しかし、特許文献１のように、硬質の上ケースおよび下ケースで電線の芯線等を挟み込む構成とすると、芯線がばらけてしまうおそれがある。このような芯線のばらけが生ずると、芯線の一部が他の回路と接触しショートしたり、芯線を導電パターンに押しつける圧力が不十分となり接触抵抗が大きくなってしまうといった問題が生ずる。また、芯線と導電パターンをハンダで接続する場合には、ハンダ接続工程が必要になるし、当該接続部分の試験や品質管理の手間やコストがかかってしまうといった問題が生ずる。
【０００５】
本発明は、基板およびその基板に形成された導電パターンに電気的に接続される電線を備えた電気機器であって、電線の芯線と基板の導電パターンの接続部分の電気的接続の信頼性が高く、かつ当該接続を容易に行うことができる機器を提供することにある。また、当該機器と同じ接続構造を適用した電線（芯線）と端子を容易に接続することができる端子付電線を提供することにある。
【課題を解決するための手段】
【０００６】
上記課題を解決するために、本発明にかかる基板を備える電気機器は、導電パターンが形成された基板と、この基板の導電パターンが形成された表面側に位置する第一ケース体、および基板の裏面側に位置し前記第一ケース体に係合する第二ケース体を有するケースと、一部が開口した断面略環状に形成された環状部を有し、この環状部の外壁面が前記導電パターンに接触する導電性材料で形成された端子と、前記環状部の内側に挿入され、この環状部の内壁面に接触する芯線を有する電線と、幅方向の大きさが前記環状部の開口の幅より大きく形成された部材であって、前記環状部の内側に挿入されることにより前記端子が弾性変形し、その弾性力を受けて前記芯線を前記環状部の内壁面に押しつける挿入部材と、を備え、前記端子は、前記第二ケース体に係合する前記第一ケース体によって、前記環状部の外壁面が前記導電パターンに接触する方向に押しつけられていることを備えることを特徴とする。
【０００７】
また、前記端子は、前記環状部の開口の縁部から当該開口を広げる方向に延びる延長部を有し、この延長部が前記第一ケース体に接触し前記環状部の外壁面が前記導電パターンに接触する方向に押しつけられているとよい。
【０００８】
また、前記第二ケース体または前記基板に対して位置決めされ、前記基板の表面側に位置するガイド部材をさらに備え、前記端子は、前記ガイド部材に形成された貫通部の内側に挿入されていればよい。
【０００９】
また、前記ガイド部材には、前記電線が通される案内溝が形成されていればよい。
【００１０】
また、前記第二ケース体には、ケースの内側に電線を挿入するための挿入部が形成されており、この挿入部が前記案内溝とは異なる高さ位置に形成されることにより、両部位を通る前記電線が屈曲していればよい。
【００１１】
また、前記挿入部材が、導電性材料によって形成されていればよい。
【００１２】
上記課題を解決するために、本発明にかかる基板を備える電気機器は、他の電気的部材に接続される接続部、および一部が開口した断面略環状に形成された環状部を有する導電性材料で形成された端子と、前記環状部の内側に挿入され、この環状部の内壁面に接触する芯線を有する電線と、幅方向の大きさが前記環状部の開口の幅より大きく形成された部材であって、前記環状部の内側に挿入されることにより前記端子が弾性変形し、その弾性力を受けて前記芯線を前記環状部の内壁面に押しつける挿入部材と、を備えることを特徴とする。
【００１３】
また、前記端子は、前記環状部の開口の縁部から当該開口を広げる方向に延びる延長部を有していればよい。
【００１４】
また、前記挿入部材が、導電性材料によって形成されていればよい。
【発明の効果】
【００１５】
上記本発明にかかる基板を備える電気機器では、挿入部材が環状部の内側に挿入されることにより環状部が弾性変形し、同じく環状部の内側に挿入された電線の芯線が環状部の内壁面に押しつけられ、電線の芯線と端子が電気的に接続される。この端子は、第二ケース体に係合される第一ケース体によって導電パターン（基板）側に押された状態で導電パターンに接触する。このように、環状部の内側に挿入部材を挿入するだけで端子と電線の芯線を電気的に接続することができるし、第一ケース体と第二ケース体を組み立てるだけで端子と導電パターンの接圧（十分に信頼性のある電気的接続を得るために必要とする端子が導電パターンに押しつけられる圧力のことをいう。以下同じ）を確保することができる。つまり、電線の芯線と基板の導電パターンの接続部分の電気的接続の信頼性が高く、かつ当該接続を容易に行うことができる電気機器となる。
【００１６】
また、上記端子に、環状部の開口の縁部から当該開口を広げる方向に延びる延長部を設ければ、当該広がる方向に延びる延長部に挿入部材を押しつけるだけで環状部の開口が広がり挿入部材を環状部の内側に挿入することができる。つまり、挿入部材を挿入する作業が容易になる。また、当該延長部は、端子を導電パターン側に押しつけた状態とするために第一ケース体に接触する部位にもなる。延長部が第一ケース体に押されると、延長部の先端側は広がる一方、環状部の開口は狭くなるように端子が変形することになるため、挿入部材が環状部の内側から外れてしまうことを防止することができるし、挿入部材が押されて電線の芯線をさらに強く環状部の内壁面に押しつけた状態とする（電線の芯線と端子の接圧をさらに良好なものとする）ことができる。このように、延長部は複数の機能を発揮するものである。
【００１７】
また、第二ケース体または基板に対して位置決めされるガイド部材を設け、このガイド部材に端子が挿入される貫通部が形成された構成とすれば、導電パターンの所定部位（端子を接触させるべき部位）に接触する位置に端子を位置決めすることが容易になる。
【００１８】
また、上記ガイド部材には、電線が通される案内溝が形成されていれば、電線の位置決めが容易になる。つまり、ガイド部材により、端子および電線の両方の位置決めが容易になる。
【００１９】
また、第二ケース体に形成される上記挿入部と、ガイド部材に形成される案内溝とを異なる高さに設定し、両部位を通る電線が屈曲するように構成とすれば、電線の長さ方向への位置ずれが防止でき、振動環境下への設置等に適した機器となる。つまり、ガイド部材は、上記端子および電線の位置決め機能に加え、電線の長さ方向への位置ずれを防止する機能を発揮する部材となる。
【００２０】
また、挿入部材が導電性材料で形成されていれば、電線と端子の接続部分における抵抗を小さくすることができる。
【００２１】
上記本発明にかかる端子付電線では、挿入部材が環状部の内側に挿入されることにより環状部が弾性変形し、同じく環状部の内側に挿入された電線の芯線が環状部の内壁面に押しつけられ、電線の芯線と端子が電気的に接続される。つまり、環状部の内側に挿入部材を挿入するだけで端子と電線の芯線を電気的に接続することができ、組立が容易である。
【００２２】
また、上記端子に、環状部の開口の縁部から当該開口を広げる方向に延びる延長部を設ければ、当該広がる方向に延びる延長部に挿入部材を押しつけるだけで環状部の開口が広がり挿入部材を環状部の内側に挿入することができる。つまり、挿入部材を挿入する作業が容易になる。
【００２３】
また、挿入部材が導電性材料で形成されていれば、電線と端子の接続部分における抵抗を小さくすることができる。
【図面の簡単な説明】
【００２４】
【図１】本発明の一実施形態にかかる基板を備える電気機器の外観図である。
【図２】本発明の一実施形態にかかる基板を備える電気機器の分解図である。
【図３】端子の環状部に挿入部材が挿入される様子を順に示した図である。
【図４】本発明の一実施形態にかかる基板を備える電気機器を組み立てる手順を説明するための図である。
【図５】本発明の一実施形態にかかる基板を備える電気機器における、電線の芯線と導電パターンが接触する部分を模式的に示した断面図（ＸＹ平面に沿って切断した断面図）であり、（ａ）は第二ケース体に第一ケース体が固定される前の状態、（ｂ）は第二ケース体に第一ケース体が固定された後の状態を示している。
【図６】本発明の一実施形態にかかる基板を備える電気機器における、電線の芯線と導電パターンが接触する部分を模式的に示した断面図（ＹＺ平面に沿って切断した断面図）であり、（ａ）は第二ケース体に第一ケース体が固定される前の状態、（ｂ）は第二ケース体に第一ケース体が固定された後の状態を示している。
【図７】本発明の一実施形態にかかる端子付電線の外観図である。
【発明を実施するための形態】
【００２５】
以下、本発明の実施形態について説明する。なお、以下の説明において単に上下方向とは図示するＹ軸方向（第一ケース体２１側を上、第二ケース体２２側を下とする）をいい、幅方向とは図示するＸ軸方向をいい、前後方向とは図示するＺ軸方向をいうものとする。
【００２６】
図１および図２に全体の構成を示す本実施形態にかかる基板を備える電気機器１は、基板１０、ケース２０、電線３０、端子４０、および挿入部材５０を備える。基板１０の表面（上側の面）には、導電パターン１１が形成されている。この導電パターン１１の所定位置に電線３０（芯線３１）が電気的に接続される（以下、導電パターン１１における電線３０（芯線３１）を接続すべき部位を接続部位と称する。図面では基板１０上に導電パターン１１における接続部位のみを表示し、その他の部分は省略してある）。導電パターン１１の構成（導電パターン１１によって構成される回路の目的、機能）等は特定のものに限定されない。本実施形態では、導電パターン１１と電気的に接続されたコネクタ１２が基板１０に実装されている。
【００２７】
ケース２０は、第一ケース体２１および第二ケース体２２を有する。第一ケース体２１は基板１０の表面側（上側）に位置し、第二ケース体２２は基板１０の裏面側（下側）に位置する。第二ケース体２２は、内側に収容空間Ｓが形成され、上側が開口した箱状の部材である。第一ケース体２１は、この第二ケース体２２の開口を覆う蓋である。第二ケース体２２の内側に形成された収容空間Ｓ内に基板１０が収容される（第二ケース体２２の底に基板１０が載置される）。基板１０は第二ケース体２２に対して位置決めされる。その位置決め方法は特定の方法に限定されるものではない。例えば、第二ケース体２２の底に位置決め突起を、基板１０にこの位置決め突起が通される位置決め孔を形成することにより、第二ケース体２２に対して基板１０を位置決めすればよい。第一ケース体２１の外縁には、下方に延びる係合爪２１１が設けられており、この係合爪２１１が第二ケース体２２の外側に設けられた係合孔２２１に通され、先端の爪が引っ掛けられた状態となることにより、両ケース体は係合（第二ケース体２２に第一ケース体２１が固定）される。
【００２８】
第二ケース体２２の側壁（底に略直交する部分）の一つには、上縁から下方に向かって窪んだ挿入部２２２が形成されている。後述するように、この挿入部２２２に電線３０が挿入されることにより、電線３０の芯線３１は収容空間Ｓ内に位置する。また、本実施形態では、挿入部２２２が形成された側壁以外の一の側壁に、基板１０に実装されたコネクタ１２が嵌り込むコネクタ係合部２２３が形成されている。このコネクタ係合部２２３を通じてコネクタ１２はケース２０の外側に露出し、図示されない相手方コネクタが嵌合可能な状態となる。
【００２９】
電線３０は、芯線３１がシース３２（被覆部材）によって覆われたものであって、その端部では芯線３１が露出している。この露出した芯線３１が導電パターン１１に接触することにより電線３０（芯線３１）と導電パターン１１（回路）が電気的に接続される。電線３０は、第二ケース体２２に形成された上記挿入部２２２に通され、露出した芯線３１が収容空間Ｓ内に入り込む。
【００３０】
端子４０は、弾性（ばね性）のある導電性材料で形成された部材であり、一部が開口した所定の大きさの空間が内側に形成される環状部４１を有する（図３参照）。なお、環状部４１は、断面円形としなければならないわけではない。つまり、ここでいう「環状」とは、内側に一部が開口した空間が形成されるように屈曲させられた形状の全てを含む意である。本実施形態の環状部４１は、下および幅方向に向かってやや尖り（先細であり）、上方に開口４１１が形成された断面略円形状である。
【００３１】
また、本実施形態では、端子４０は上記環状部４１と一体的に形成された延長部４２を有する。延長部４２は、上記環状部４１の開口４１１の縁部（本実施形態は上端縁）から当該開口４１１を広げる方向に延びる部分である。延長部４２の内側の空間は断面が略逆三角形となる。端子４０全体で見ると、環状部４１の上側の部分と延長部４２により、断面が略「く」の字（略「Ｖ」字）状に屈曲した部分が構築されることとなる（当該部分の一方と他方はＹＺ平面を対称面として面対称である）。
【００３２】
挿入部材５０は、電線３０の芯線３１とともに、上記端子４０の環状部４１の内側に挿入される部材である。挿入部材５０の前後方向における長さは、端子４０の前後方向における長さと略同じに設定される。本実施形態では、挿入部材５０は断面円形に形成されるが、これに限られるものではない。少なくとも幅方向における最も大きい部分の大きさが、端子４０の環状部４１の開口４１１よりも大きければよい。このような寸法とすることにより、挿入部材５０が環状部４１の開口４１１から環状部４１の内側に挿入される（図３（ａ）→図３（ｂ））と、環状部４１の開口４１１が押し広げられた状態となり、元の形状に戻ろうとする。環状部４１が元の形状に戻ろうとすると環状部４１の開口４１１側端部が挿入部材５０を下方に押しつける。環状部４１の内側には電線３０の芯線３１が挿入されているから、当該挿入部材５０はその周囲にある芯線３１を環状部４１の内壁面に押しつける。つまり、元の形状に戻ろうとする環状部４１の弾性力が挿入部材５０を介して芯線３１まで伝わり、芯線３１は環状部４１の内壁面に接触した状態となる（図３（ｃ）参照）。
【００３３】
この挿入部材５０が挿入された端子４０は、以下のようにガイド部材６０に位置決めされた状態で収容空間Ｓ内に設置される。ガイド部材６０は、第二ケース体２２または基板１０に対して位置決めされる硬質の絶縁材料で形成された部材である。本実施形態では、ガイド部材６０の幅方向両側に位置決め凹部６１が、第二ケース体２２の幅方向に沿う側壁の内側に位置決め突起２２４が形成されており、位置決め凹部６１のそれぞれに位置決め突起２２４が係合されることにより、ガイド部材６０は第二ケース体２２に位置決めされた状態で収容空間Ｓ内に位置する。図示しないが、基板１０に位置決め凸部や位置決め孔を形成し、ガイド部材６０にそれに係合する要素を形成しておくことにより、基板１０に対してガイド部材６０を位置決めしてもよい。収容空間Ｓ内に基板１０が収容された後、ガイド部材６０が収容されるため、ガイド部材６０は基板１０の表面側（導電パターン１１が形成された側）に位置する。
【００３４】
このガイド部材６０には、上下方向に貫通する窪みである端子ガイド部６２（本発明における貫通部に相当する）が形成されている。端子ガイド部６２は、ガイド部材６０の前側から後側に向かって窪んだ窪みであり、前側から端子４０が挿入可能な大きさに形成されている。具体的には次のような形状である。図５等に示すように、ガイド部材６０は、その上側の中央部分が幅方向両側よりも低く形成されている。端子ガイド部６２は、この低く形成された部分の幅方向における中央（ガイド部材６０全体の中央でもある）に形成されている。幅方向における端子ガイド部６２の上端の大きさは、電線３０の芯線３１および挿入部材５０が挿入された状態にある端子４０の環状部４１の最大幅よりも小さくなるように設定されている。また、端子ガイド部６２は上端から下方にかけて徐々に幅が大きくなるように形成されており、内側には電線３０の芯線３１および挿入部材５０が挿入された状態にある環状部４１が挿入可能である。端子４０はガイド部材６０の前側から端子ガイド部６２に挿入される。端子ガイド部６２の上端の大きさは、電線３０の芯線３１および挿入部材５０が挿入された状態にある端子４０の環状部４１の最大幅よりも小さくなるように設定されているから、一旦端子ガイド部６２に挿入された端子４０は端子ガイド部６２の上から抜けることはない。なお、端子ガイド部６２が上端から下方にかけて徐々に幅が大きくなるように形成されているのは一例であり、端子ガイド部６２の内側に環状部４１が挿入可能であり、かつ一旦挿入された環状部４１が端子ガイド部６２の上から抜けることがないような形状であれば、端子ガイド部６２の形状は適宜変更可能である。
【００３５】
ガイド部材６０が第二ケース体２２または基板１０に対して位置決めされたとき、端子ガイド部６２は導電パターン１１の接続部位と上下方向に重なる（端子ガイド部６２は挿入孔の上から導電パターン１１の接続部位の少なくとも一部が見える）。したがって、端子ガイド部６２に挿入された端子４０の下端は、導電パターン１１の接続部位に接触する。電線３０の芯線３１および挿入部材５０が挿入された状態にある端子４０の上下方向長さは、第一ケース体２１と第二ケース体２２が一体化された状態（係合孔２２１に係合爪２１１が引っ掛けられた状態）における第二ケース体２２に収容されている基板１０の表面から第一ケース体２１の下面までの距離よりも小さくなるように設定されている。
【００３６】
また、ガイド部材６０の下側には、前後方向に延びる案内溝６３が形成されている。この案内溝６３の内側に電線３０が通される。したがって、この案内溝６３を通る部分は、ガイド部材６０と基板１０に挟まれた状態にある。ガイド部材６０が第二ケース体２２の収容空間Ｓ内における所定位置に収容された状態（下面が基板１０表面に接触した状態）においては、案内溝６３は第二ケース体２２の挿入部２２２よりも下方に位置する。電線３０は、第二ケース体２２に形成された挿入部２２２を通じて収容空間Ｓ内（ケース２０内）に入り込み、案内溝６３を通って芯線３１が導電パターン１１の接続部位に重なる位置まで案内される。そのため、電線３０におけるケース２０の外側に位置する部分から芯線３１までの部位は、挿入部２２２と案内溝６３の高さの差によって屈曲する（図６参照）。具体的には、前後方向に沿う挿入部２２２を通る部分と案内溝６３を通る部分との間に、ガイド部材６０と第二ケース体２２の側壁に挟まれた上下方向に沿う部分が存在するように屈曲する。
【００３７】
このような構成を備える基板を備える電気機器１は、例えば次のように組み立てられる。電線３０の芯線３１を端子４０の環状部４１の内側に挿入した状態で、挿入部材５０を環状部４１の内側に挿入することにより端子４０と電線３０の組体を得る（図３、図４（ａ）参照）。具体的には、挿入部材５０を端子４０の延長部４２に押しつけることにより開口４１１を広げて、挿入部材５０を環状部４１の内側に挿入する（図３（ａ）→図３（ｂ））。挿入部材５０を挿入すると、元の形状に戻ろうとする環状部４１によって挿入部材５０が押され、この押された挿入部材５０によって芯線３１が環状部４１の内側に押しつけられる（図３（ｃ）参照）。得られた端子４０と電線３０の組体を、ガイド部材６０に形成された端子ガイド部６２に挿入する。具体的には、端子ガイド部６２の前側から端子４０を挿入する（図４（ｂ）参照）。端子４０の延長部４２は、端子ガイド部６２の上方に突出した状態となる。
【００３８】
第二ケース体２２の内側の収容空間Ｓ内の所定位置に基板１０を収容する（図４（ｃ）参照）。端子ガイド部６２に端子４０が挿入された状態にあるガイド部材６０（端子４０、電線３０、およびガイド部材６０から構成される組）を第二ケース体２２または基板１０に対して位置決めする。ガイド部材６０を基板１０に向けて移動させる際、案内溝６３の内側に電線３０を位置させ、電線３０を屈曲させる。ガイド部材６０を所定位置に位置決めすると、端子４０の下端は導電パターン１１の接続部位に接触する（図４（ｄ）参照）。
【００３９】
上述したように、電線３０の芯線３１および挿入部材５０が挿入された状態にある端子４０の上下方向長さは、第一ケース体２１と第二ケース体２２が一体化された状態（係合孔２２１に係合爪２１１が引っ掛けられた状態）における第二ケース体２２に収容されている基板１０の表面から第一ケース体２１の下面までの距離よりも小さくなるように設定されている。したがって、第二ケース体２２に対し第一ケース体２１が固定されていない状態においては、下端が導電パターン１１の接続部位に接触した端子４０は、その延長部４２（上端）が第二ケース体２２の上端（側壁の上端）よりも上に突出している（図４（ｄ）、図５（ａ）、図６（ａ）参照）。そのため、第二ケース体２２に対し第一ケース体２１が固定される（係合孔２２１に係合爪２１１が引っ掛けられる）と、端子４０の上端が第一ケース体２１の下面に接触し、端子４０は第一ケース体２１と基板１０によって上下方向に潰される。このように第二ケース体２２に固定される第一ケース体２１によって端子４０が潰された状態となると、その端子４０の元の形状に戻ろうとする弾性力によって、端子４０の下端が導電パターン１１の接続部位に押しつけられる（図５（ｂ）および図６（ｂ）参照）。つまり、電線３０の芯線３１と導電パターン１１の接続部位が端子４０を介して電気的に接続される。両者の接続信頼性を左右する端子４０の弾性力は、端子４０の材質や、端子４０が潰される量（すなわち上下方向における端子４０の長さ）を適宜変更することにより変更することができる。つまり、端子４０の弾性力を調整することにより、接触する端子４０と接続部位の十分な接圧を確保することができる。
【００４０】
また、図５（ａ）と図５（ｂ）を比較すればわかるように、延長部４２の断面は略「く」の字（略「Ｖ」字）であるため、第二ケース体２２に固定される第一ケース体２１によって延長部４２が第一ケース体２１に押されると、延長部４２の先端側は広がる一方、環状部４１の開口４１１は狭くなるように変形する。
【００４１】
以上説明した本実施形態にかかる基板を備える電気機器１によれば、次のような作用効果が奏される。
【００４２】
本実施形態にかかる電気機器では、挿入部材５０が環状部４１の内側に挿入されることにより環状部４１が弾性変形し、同じく環状部４１の内側に挿入された電線３０の芯線３１が環状部４１の内壁面に押しつけられ、電線３０の芯線３１と端子４０が電気的に接続される。この端子４０は、第二ケース体２２に係合される第一ケース体２１によって導電パターン１１（基板１０）側に押された状態で導電パターン１１に接触する。このように、環状部４１の内側に挿入部材５０を挿入するだけで端子４０と電線３０の芯線３１を電気的に接続することができるし、第一ケース体２１と第二ケース体２２を組み立てるだけで端子４０と導電パターン１１の接圧を確保することができる。
【００４３】
また、端子４０には、環状部４１の開口４１１の縁部から当該開口４１１を広げる方向に延びる延長部４２が設けられているため、当該広がる方向に延びる延長部４２に挿入部材５０を押しつけるだけで環状部４１の開口４１１が広がり挿入部材５０を環状部４１の内側に挿入することができる。つまり、挿入部材５０を挿入する作業が容易になる。また、当該延長部４２は、端子４０を導電パターン１１側に押しつけた状態とするために第一ケース体２１に接触する部位にもなる。延長部４２が第一ケース体２１に押されると、延長部４２の先端側は広がる一方、環状部４１の開口４１１は狭くなるように端子４０が変形することになるため、挿入部材５０が環状部４１の内側から外れてしまうことを防止することができるし、挿入部材５０が押されて電線３０の芯線３１をさらに強く環状部４１の内壁面に押しつけた状態とすることができる。このように、端子４０の延長部４２は複数の機能を発揮するものである。
【００４４】
また、第二ケース体２２または基板１０に対して位置決めされるガイド部材６０を設け、このガイド部材６０に端子４０が挿入される端子ガイド部６２が形成された構成であるため、導電パターン１１の接続部位に接触する位置に端子４０を位置決めすることが容易になる。
【００４５】
また、上記ガイド部材６０には、電線３０が通される案内溝６３が形成されているため、電線３０の位置決めが容易になる。つまり、ガイド部材６０により、端子４０および電線３０の両方の位置決めが容易になる。
【００４６】
また、第二ケース体２２に形成される上記挿入部２２２と、ガイド部材６０に形成される案内溝６３とが異なる高さに設定されているため、両部位を通る電線３０は屈曲した状態となり、電線３０の長さ方向への位置ずれが防止できる。つまり、ガイド部材６０は、上記端子４０および電線３０の位置決め機能に加え、電線３０の長さ方向への位置ずれを防止する機能を発揮する部材となる。
【００４７】
また、挿入部材５０が導電性材料で形成されているため、電線３０と端子４０の接続部分における抵抗を小さくすることができる。
【００４８】
以下、本発明の実施形態にかかる端子付電線１ａについて説明する。図７に示す端子付電線１ａは、端子４０ａと電線３０ａの接続に、上記実施形態にかかる基板を備える電気機器１における端子４０ａと電線３０ａの接続構造と同様の構造を適用したものである。端子４０ａは、相手方部材に接続される接続部分４１１ａと、環状部４１ａおよび延長部４２ａを含む芯線バレル４１２ａを有する。芯線バレル４１２ａの構造は、上記基板を備える電気機器１が備える端子４０と同じである。接続部分４１１ａは、図示される円形状のもの等、相手方部材に対応する形状とすればよく、特定のものに限定されない。
【００４９】
端子４０ａと電線３０ａを接続する際には、電線３０ａの芯線３１ａを芯線バレル４１２ａの環状部４１ａの内側に挿入した状態で、延長部４２ａに挿入部材５０ａを押しつけるようにして開口を広げ、環状部４１ａの内側に挿入部材５０ａに突部を挿入する。挿入部材５０ａは、上記基板を備える電気機器１におけるものと同じである。環状部４１ａの内側に挿入された挿入部材５０ａにより、電線３０ａの芯線３１ａは環状部４１ａの内壁面に押しつけられた状態となる。つまり、電線３０ａの芯線３１ａと環状部４１ａの内壁面が接触し、電線３０ａ（芯線３１ａ）と端子４０ａが電気的かつ物理的に接続された端子付電線１ａが得られる。
【００５０】
上記端子４０ａは、図示されるようなシースバレル４１３ａを備えたものであればさらによい。シースバレル４１３ａは、電線３０ａにおける芯線３１ａが露出した部分よりも基端側のシース３２ａ（被覆部材）の外側にかしめられるものである。このようなシースバレル４１３ａを設けることにより、電線３０ａと端子４０ａの物理的な接続強度が向上する。つまり、シースバレル４１３ａとシース３２ａの接続により、上記環状部４１ａと電線３０ａの芯線３１ａの接続部における物理的な接続が補強される。
【００５１】
このように、本実施形態にかかる端子付電線１ａによれば、挿入部材５０ａが環状部４１ａの内側に挿入されることにより環状部４１ａが弾性変形し、同じく環状部４１ａの内側に挿入された電線３０ａの芯線３１ａが環状部４１ａの内壁面に押しつけられ、電線３０ａの芯線３１ａと端子４０ａが電気的に接続される。つまり、環状部４１ａの内側に挿入部材５０ａを挿入するだけで端子４０ａと電線３０ａの芯線３１ａを電気的に接続することができ、組立が容易である。
【００５２】
以上、本発明の実施の形態について詳細に説明したが、本発明は上記実施の形態に何ら限定されるものではなく、本発明の要旨を逸脱しない範囲で種々の改変が可能である。
【００５３】
上記基板を備える電気機器１が備えるケース２０の構成（第一ケース体２１および第二ケース体２２の構成）は適宜変更可能である。第二ケース体２２に対し第一ケース体２１を固定することにより、第一ケース体２１に端子４０が押される構成であればよい。例えば、第一ケース体２１の下面に端子４０を押す突起を形成してもよい。
【００５４】
また、導電パターン１１の接続部位に接続される電線３０の芯線３１は端部で露出していることを説明したが、中間部で露出した芯線３１を導電パターン１１に接続する構成にも適用可能である。
【符号の説明】
【００５５】
１  基板を備える電気機器
１０  基板
１１  導電パターン（接続部位）
２０  ケース
２１  第一ケース体
２２  第二ケース体
２２２  挿入部
３０  電線
３１  芯線
４０  端子
４１  環状部
４１１  開口
４２  延長部
５０  挿入部材
６０  ガイド部材
６２  端子ガイド部
６３  案内溝
１ａ  端子付電線
３０ａ  電線
３１ａ  芯線
４０ａ  端子
４１ａ  環状部
４２ａ  延長部
５０ａ  挿入部材
【図１】
2014067786.tif 000003
【図２】
2014067786.tif 000004
【図３】
2014067786.tif 000005
【図４】
2014067786.tif 000006
【図５】
2014067786.tif 000007
【図６】
2014067786.tif 000008
【図７】
2014067786.tif 000009